(57)【要約】【課題】通話内容を録音するとともに、必要な通信相手との通話内容を簡単に検索して再生する際、使い勝手が良い携帯電話機及びコンピュータ・ソフトウエアを提供する。【解決手段】送受信部１１、通話内容を録音する通話録音部１３、操作部１６、表示部１７、音声入出力部１２、情報編集部１４、ＤＢ制御部１９及び電源部２１を備える携帯電話機において、通話時に予め設定した通信相手との通話を通信相手別に録音する機能を有する。また、予め登録してある電話帳の電話番号の指定による通信相手の特定により、通信相手別ＤＢに登録する機能を有する。【選択図】        図１
2004187072.tif 000002
【特許請求の範囲】
【請求項１】
送受信部、通話内容を録音する通話録音部、操作部、表示部、音声入出力部、情報編集部、ＤＢ制御部及び電源部を備える携帯電話機において、
通話時に予め設定した通信相手との通話を通信相手別に録音する機能を有することを特徴とする携帯電話機。
【請求項２】
請求項１記載の携帯電話機において、
予め登録してある電話帳の電話番号の指定による通信相手の特定により、通信相手別ＤＢに登録する機能を有することを特徴とする携帯電話機。
【請求項３】
請求項１記載の携帯電話機において、
新たな電話番号の入力による通信相手の特定により、通信相手別ＤＢに登録する機能を有することを特徴とする携帯電話機。
【請求項４】
請求項１記載の携帯電話機において、
特定キーの入力による通信相手の特定により、通信相手別ＤＢに登録する機能を有することを特徴とする携帯電話機。
【請求項５】
請求項１〜４のいずれか１項に記載の携帯電話機において、通話時の相手方発信情報による特定により、通信相手別ＤＢに登録する機能を有することを特徴とする携帯電話機。
【請求項６】
請求項１〜４のいずれか１項に記載の携帯電話機において、通話時の自分の発信情報による特定により、通信相手別ＤＢに登録する機能を有することを特徴とする携帯電話機。
【請求項７】
請求項１〜６のいずれか１項に記載の携帯電話機において、通話日付時刻を付加して通信相手別ＤＢに登録する機能を有することを特徴とする携帯電話機。
【請求項８】
請求項１〜７のいずれか１項に記載の携帯電話機において、録音された内容を通話相手別に検索して再生する機能を有することを特徴とする携帯電話機。
【請求項９】
請求項１〜８のいずれか１項に記載の携帯電話機において、録音された内容を通話相手別に検索して消去する機能を有することを特徴とする携帯電話機。
【請求項１０】
送受信部、通話内容を録音する通話録音部、操作部、表示部、音声入出力部、情報編集部、ＤＢ制御部及び電源部を備える携帯電話機に使用されるコンピュータ・ソフトウエアであって、
通話時に予め設定した通信相手との通話を通信相手別に録音する機能をコンピュータに実現させるプログラムからなるコンピュータ・ソフトウエア。
【発明の詳細な説明】
【０００１】
【発明の属する技術分野】
本発明は、携帯電話機及びコンピュータ・ソフトウエアであり、特に通話内容を録音するとともに、必要な通信相手との通話内容を簡単に検索して再生することが可能な携帯電話機に関する。
【０００２】
【従来の技術】
従来、通話内容をメモ等に記録することが行われているが、難解な用語等を確実に把握するために、録音することが提案されている（特許文献１参照）が、携帯電話機を対象としていなかった。また、携帯電話機に通話内容の録音機能を有するものがあるが、個別対応に録音されていないため、再生時の不自由する等の使い勝手が悪かった。
【０００３】
【特許文献１】
特開平２００２−７７４１２号公報
【０００４】
【発明が解決しようとする課題】
本発明は、従来の問題を解決するものであり、特に通話内容を録音するとともに、必要な通信相手との通話内容を簡単に検索して再生する際、使い勝手が良い携帯電話機及びコンピュータ・ソフトウエアを提供することを目的とする。
【０００５】
【課題を解決するための手段】
本発明は、送受信部、通話内容を録音する通話録音部、操作部、表示部、音声入出力部、情報編集部、ＤＢ制御部及び電源部を備える携帯電話機において、通話時に予め設定した通信相手との通話を通信相手別に録音する機能を有する携帯電話機である。
【０００６】
また、本発明は、予め登録してある電話帳の電話番号の指定による通信相手の特定により、通信相手別ＤＢに登録する機能を有する携帯電話機である。
【０００７】
そして、本発明は、新たな電話番号の入力による通信相手の特定により、通信相手別ＤＢに登録する機能を有する携帯電話機である。
【０００８】
更に、本発明は、特定キーの入力による通信相手の特定により、通信相手別ＤＢに登録する機能を有する携帯電話機である。
【０００９】
また、本発明は、通話時の相手方発信情報による特定により、通信相手別ＤＢに登録する機能を有する携帯電話機である。
【００１０】
そして、本発明は、通話時の自分の発信情報による特定により、通信相手別ＤＢに登録する機能を有する携帯電話機である。
【００１１】
更に、本発明は、通話日付時刻を付加して通信相手別ＤＢに登録する機能を有する携帯電話機である。
【００１２】
また、本発明は、録音された内容を通話相手別に検索して再生する機能を有する携帯電話機である。
【００１３】
そして、本発明は、録音された内容を通話相手別に検索して消去する機能を有する携帯電話機である。
【００１４】
更に、本発明は、送受信部、通話内容を録音する通話録音部、操作部、表示部、音声入出力部、情報編集部、ＤＢ制御部及び電源部を備える携帯電話機に使用されるコンピュータ・ソフトウエアであって、通話時に予め設定した通信相手との通話を通信相手別に録音する機能をコンピュータに実現させるプログラムからなるコンピュータ・ソフトウエアである。
【００１５】
【発明の実施の形態】
本発明の実施の形態を説明する。
本発明の携帯電話機の実施例について、図１〜図４を用いて説明する。図１は、実施例の携帯電話機の説明図である。図２は、実施例の携帯電話機を使用した通信相手の設定時のフローチャートの一例の説明図である。図３は、実施例の携帯電話機を使用した通信相手の通話録音時のフローチャートの一例の説明図である。図４は、実施例の携帯電話機を使用した通話録音の再生時のフローチャートの一例の説明図である。
【００１６】
実施例を説明する。本実施例の携帯電話機は、図１に示すように、送受信部１１、音声入出力部１２、通話録音部１３、情報編集部１４、全体制御部１５、操作部１６、表示部１７、アドレス部１８、データベース（ＤＢ）制御部１９、ＤＢ２０及び電源部２１を備えている。送受信部１１は、アンテナを介して送受信する。音声入出力部１２は、通話の音声を入力し出力する。通話録音部１３は、通話内容を録音する。情報編集部１４は、使用者の入力操作により各種情報を編集する。全体制御部１５は、携帯電話機全体の制御を行う。操作部１６は、使用者の入力操作を受付ける。表示部１７は、使用者の携帯電話機の。アドレス部１８は、通信相手のアドレス帖を記録する。データベース制御部１９は、各種データを記憶するＤＢ２０を制御する。電源部２１は、携帯電話機の各部への電源供給を行う。
【００１７】
実施例の携帯電話機は、（ａ）通話時に予め設定した通信相手との通話を通信相手別に録音する機能を有する。また、（ｂ）予め登録してある電話帳の電話番号の指定による通信相手の特定により、通信相手別ＤＢに登録する機能、（ｃ）新たな電話番号の入力による通信相手の特定により、通信相手別ＤＢに登録する機能、（ｄ）特定キーの入力、相手方から番号非通知の際に例えば「１」を押す等、による通信相手の特定により、通信相手別ＤＢに登録する機能、（ｅ）通話時の相手方発信情報による特定により、通信相手別ＤＢに登録する機能、（ｆ）通話時の自分の発信情報による特定により、通信相手別ＤＢに登録する機能、（ｇ）通話日付時刻を付加して通信相手別ＤＢに、例えば時系列に登録する機能、（ｈ）録音された内容を通話相手別に検索して再生する機能、（ｉ）録音された内容を通話相手別に検索して消去する機能を有する。
【００１８】
実施例の携帯電話機を使用した通信相手の設定の手順の一例について、図２のフローチャートを用いて説明する。
Ｓ１０１  開始する。
Ｓ１０２  設定は電話帳からかを判断し、電話帳であるとステップＳ１１１に進み、違うとステップＳ１２１に進む。
Ｓ１１１  電話帳から通信相手を読出して該当する相手を特定し、ステップＳ１３１に進む。
Ｓ１２１  設定は電話番号入力かを判断し、電話帳からであるとステップＳ１２２に進み、違うとステップＳ１４１に進む。
Ｓ１２２  電話番号を入力する。
Ｓ１３１  通信相手別録音ＤＢに電話番号を登録する。
Ｓ１４１  次の設定有りかを判断し、有りのときはステップＳ１０２に戻り、無しのときはステップＳ１５１に進む。
Ｓ１５１  終了となる。
このようにして、通信相手の設定を行うことができる。
【００１９】
実施例の携帯電話機を使用した通信相手の通話録音の手順の一例について、図３のフローチャートを用いて説明する。
Ｓ２０１  開始する。
Ｓ２０２  電話番号を取得する。
Ｓ２０３  通信相手別録音ＤＢに登録されている電話番号を読出す。
Ｓ２０４  電話番号が一致かを判断し、一致であるとステップＳ２１１に進み、違うとステップＳ２２１に進む。
Ｓ２１１  受発信日時を読出し電話番号に該当する通信相手ファイルに受発信日時を登録する。
Ｓ２１２  通話かを判断し、通話であるとステップＳ２４１に進み、違うとステップＳ２５１に進む。
Ｓ２２１  録音するかを判断し、録音であるとステップＳ２３１に進み、違うとステップＳ２５１に進む。
Ｓ２３１  仮番号をとり、ステップＳ２４１に進む。
Ｓ２４１  通信相手別ファイルに通話内容を録音する。
Ｓ２４２  終了かを判断し、終了であるとステップＳ２５１に進み、違うとステップＳ２４１に戻る。
Ｓ２５１  終了となる。
このようにして、通信相手の通話録音を行うことができる。
【００２０】
実施例の携帯電話機を使用した通話録音の再生の手順の一例について、図４のフローチャートを用いて説明する。
Ｓ３０１  開始する。
Ｓ３０２  通話録音再生かを判断し、再生であるとステップＳ３１１に進み、違うとステップＳ３４１に進む。
Ｓ３１１  電話番号を指定する。
Ｓ３１２  通信相手別録音ＤＢに登録されている電話番号を読出す。
Ｓ３１３  電話番号の登録有りかを判断し、有りのときはステップＳ３２１に進み、無しのときはステップＳ３３１に進む。
Ｓ３２１  電話番号に該当する通信相手ファイルから登録内容を再生する。
Ｓ３２２  終了かを判断し、終了であるとステップＳ３４１に進み、違うとステップＳ３２１に戻る。
Ｓ３３１  該当なしを音声又は画面に表示し、ステップＳ３４１に進む。
Ｓ３４１  終了となる。
このようにして、通話録音の再生を行うことができる。
【００２１】
なお、上記実施例では携帯電話機を説明したが、通話時に予め設定した通信相手との通話を通信相手別に録音する機能をコンピュータに実現させるプログラムからなるコンピュータ・ソフトウエアを使用することにより、従来の携帯電話機を本発明の携帯電話機とすることができる。
【００２２】
【発明の効果】
本発明によれば、特に通話内容を録音するとともに、必要な通信相手との通話内容を簡単に検索して再生する際、使い勝手が良い携帯電話機を得ることができる。
【図面の簡単な説明】
【図１】実施例の携帯電話機の説明図。
【図２】実施例の携帯電話機を使用した通信相手の設定時のフローチャートの一例の説明図。
【図３】実施例の携帯電話機を使用した通信相手の通話録音時のフローチャートの一例の説明図。
【図４】実施例の携帯電話機を使用した通話録音の再生時のフローチャートの一例の説明図。
【符号の説明】
１１  送受信部
１２  音声入出力部
１３  通話録音部
１４  情報編集部
１５  全体制御部
１６  操作部
１７  表示部
１８  アドレス部
１９  データベース制御部
２０  ＤＢ
２１  電源部
【図１】
2004187072.tif 000003
【図２】
2004187072.tif 000004
【図３】
2004187072.tif 000005
【図４】
2004187072.tif 000006